Podtech/llm-jp-corpus-v4-ja_patent huggingface dataset:
(57)【要約】【課題】  金属粉末と酸化物粉末を混合し、圧縮することにより成型して得られる二酸化炭素還元用粉末圧縮電極を作製し、この二酸化炭素還元用粉末圧縮電極を用いて、アルコール溶媒中の二酸化炭素を電気化学的に還元し、炭化水素類を製造する手法を提供する。本粉末圧縮電極を用いることにより、炭化水素類の生成効率が大きく向上する。【解決手段】  二酸化炭素を飽和させたアルコール溶液に二酸化炭素還元用粉末圧縮電極を用いて電気化学的に、炭化水素類を製造する方法。【選択図】図１
2012188707.tif 000002
【特許請求の範囲】
【請求項１】
金属粉末と酸化物粉末を混合し、圧縮することにより成型して得られる二酸化炭素還元用粉末圧縮電極。
【請求項２】
前記電極がPb粉末とCuOからなる二酸化炭素還元用粉末圧縮電極。
【請求項３】
前記電極の組成が、Pb粉末８５〜１００重量％とCuO粉末０〜１５重量％からなる二酸化炭素還元用粉末圧縮電極。
【発明の詳細な説明】
【技術分野】
【０００１】
本発明は、二酸化炭素還元用粉末圧縮電極に関するものである。
【背景技術】
【０００２】
近年、地球環境問題の一つとして地球温暖化が挙げられる。これは温室効果ガスである二酸化炭素の大気中濃度の増加に由来するとされている。
【０００３】
科学技術の発展に伴い化石燃料の消費が急増し、高エネルギー需要社会の形成に伴って二酸化炭素やフロン等温室効果ガスの急激な排出量の増加がもたらされた。その結果、地球規模での気温上昇が懸念され、地球温暖化が人類をはじめとする生物圏全体に深刻な影響をもたらすことが指摘されている。
【０００４】
従来、電気化学的手法によって得られる二酸化炭素還元生成物はせいぜい２電子還元生成物であるギ酸、シュウ酸、一酸化炭素のみであり、付加価値の高い生成物を得ることができなかった。ところが、高純度な銅をカソード電極に用いると、８電子還元生成物のメタン、更に１２電子還元生成物のエチレンが生成することが発見された。
【０００５】
しかしながら、銅電極には二点の問題点がある。一点目は、銅電極は相当な量のエネルギーが、水の電気分解による水素発生のエネルギーに消費される点である。二点目は、高純度の銅が必要であり、前処理と耐久性に問題がある。したがって、二酸化炭素からの有用物質の製造の実用化には、電極コストのさらなる低廉化と改良が必要である。
【先行技術文献】
【特許文献】
【０００６】
【特許文献１】特開２００３−２１３４７２号
【特許文献２】特開平７−１８８９６１号
【発明の概要】
【発明が解決しようとする課題】
【０００７】
ここにおいて、本発明は、かかる事情を背景に為されたものであって、その解決課題とするところは、二酸化炭素還元用粉末圧縮電極ことを提供することにある。
【課題を解決するための手段】
【０００８】
そして、本発明者が二酸化炭素還元用粉末圧縮電極について鋭意検討を重ねた結果、比較的安価で二酸化炭素からの炭化水素類生成方法に有効であることを見出し、本発明を完成するに至ったのである。
【０００９】
すなわち、本発明は、３００ｍＭ水酸化カリウム支持電解質を溶解したアルコール溶液において、二酸化炭素を飽和し、二酸化炭素還元用粉末圧縮電極を用いて電気的に二酸化炭素を還元し、炭化水素類を製造する方法をその要旨とするものである。
【００１０】
なお、かかる本発明に従う炭化水素類製造方法の望ましい態様の一つによれば、前記溶液溶媒として二酸化炭素を飽和させた３００ｍＭ濃度の水酸化カリウムメタノールを利用することとなる。
【００１１】
また、このような本発明に従う方法の他の望ましい態様の一つによれば、前記水溶液溶媒温度を−３０℃で行うこととなる。
【発明の効果】
【００１２】
このように、本発明に従う金属粉末と酸化物粉末を混合し、圧縮することにより成型して得られる二酸化炭素還元用粉末圧縮電極にあっては、電極コストも低廉で、低コストで炭化水素類製造を実施することができるようになっている。
【発明を実施するための形態】
【００１３】
ところで、かかる本発明に従う炭化水素類製造方法において、二酸化炭素を飽和させた３００ｍＭ濃度の水酸化カリウムアルコール溶液にCuO含有金属粉末圧縮電極を用いて、電気的に炭化水素類を製造することになるが、特に望ましい形態には、メタノールなどの低級アルコールが好適に用いられるのである。
【００１４】
そして、本発明に従う炭化水素類製造方法で利用する溶媒の温度は−３０℃において、炭化水素類の生成を実施することとなる。また、特に望ましい組成には、Pb粉末８５〜１００重量％とCuO粉末０〜１５重量％からなる二酸化炭素還元用粉末圧縮電極が用いられるのである。
【実施例】
【００１５】
以下に、本発明の代表的な実施例を示し、本発明を、更に具体的に明らかにすることとするが、本発明が、そのような実施例の記載によって、何等の制約をも受けるものでないことは、言うまでもないところである。また、本発明には、以下の実施例の他にも、更には上記した具体的記述以外にも、本発明の趣旨を逸脱しない限りにおいて、当業者の知識に基づいて、種々なる変更、修正、改良等を加え得るものであることが、理解されるべきである。
【図面の簡単な説明】
【００１６】
【図１】本発明により作製したCuO含有二酸化炭素還元用粉末圧縮電極において、炭化水素類の電流効率に対するCuOと鉛の含有率の影響を表す図である。
【００１７】
試験例
９９．５％メタノール水溶液に、３００ｍＭ濃度になるように水酸化カリウムを添加した溶媒を調製した。この溶媒７０ｍＬずつ入れたＨ型セルを高温槽内に設置した。溶媒の温度は−３０℃に設定した。カソード室にカソード電極として、CuO含有金属二酸化炭素還元用粉末圧縮電極を用いて、アノードにはアノード電極として白金電極を用いた。このＨ型セルにポテンシオスタットを用いて５０Ｃまで定電位電解を行い、二酸化炭素の電気化学的還元を進行させた。発生した生成物は、ガスクロマトグラフィーと高速液体クロマトグラフィーで分析した。生成物の電流効率を計算し、評価した。
【００１８】
電極は、本発明によるCuO含有金属二酸化炭素還元用粉末圧縮電極を電解還元が起きるカソード電極として用い、白金板（３×２ｃｍ）をアノード電極として用いた。
【００１９】
本発明によるCuO含有金属二酸化炭素還元用粉末圧縮電極は、CuOと鉛粉末から作製した。CuO含有金属二酸化炭素還元用粉末圧縮電極の作成方法は、それぞれ金属粉末を混ぜ合わせ、２００ｋｇ／ｃｍ２の力で圧縮し、直径１．５ｃｍの円板を作り、伝導性エポキシ樹脂を用いて円板二枚とニッケル線を付け合せてCuO含有金属二酸化炭素還元用粉末圧縮電極を作製した。
【００２０】
CuO含有金属二酸化炭素還元用粉末圧縮電極を用いて、CuO含有率と電位を調べた。炭化水素類の生成電流効率は、鉛のみでは０．０２％であった。しかしながら、適切なCuO含有率と電位において、メタン０．１６％とエチレン１．４７％の電流効率が得られた。
【００２１】
上記の実験を比較すると、炭化水素類を工業的に大量生産する場合にCuO含有金属二酸化炭素還元用粉末圧縮電極を用いると、簡単で断然有利であると言える。
【図１】
2012188707.tif 000003
(57)【要約】【課題】回転体の回転により生じた気流を用い、処理基板を吸着することが可能なスピン処理装置を提供する。【解決手段】スピン処理装置において、エジェクタは漏斗状空気導入口を有し、回転体は、１分間に６００回転以上回転することを特徴とするスピン処理装置。【選択図】    図１
2012079848.tif 000002
【特許請求の範囲】
【請求項１】
架台と、
前記架台に設置された回転体と、
前記回転体を回転させるモータと、
前記回転体に形成されたバキュームパッドと、
前記バキュームパッドに接続され、前記回転体に設置されたエジェクタと、
を備えるスピン処理装置において、
前記エジェクタは漏斗状空気導入口を有し、
前記回転体は、１分間に６００回転以上回転することを特徴とするスピン処理装置。
【請求項２】
前記エジェクタは前記回転体の中心部から離れた位置に設置されていることを特徴とする請求項１に記載のスピン処理装置。
【請求項３】
前記エジェクタは真空貯蔵タンクを備えることを特徴とする請求項１又は請求項２に記載のスピン処理装置。
【請求項４】
架台と、
前記架台に設置された回転体と、
前記回転体を回転させるモータと、
前記回転体に形成されたバキュームパッドと、
前記バキュームパッドに接続され、前記回転体に設置され、漏斗状空気導入口を有するエジェクタと、
を備えるスピン処理装置において、
前記回転体上に処理基板を準備し、
前記回転体は１分間に６００回転以上回転し、
前記エジェクタは前記漏斗状空気導入口から外気を取り入れ、前記処理基板を吸着することを特徴とするスピン処理方法。
【発明の詳細な説明】
【技術分野】
【０００１】
本発明の実施形態はフラットパネルディスプレイ素子製造装置に関わり、特に素子基板の洗浄工程でのスピン式洗浄装置や、レジスト塗布工程でのスピン塗布装置に関する。
【背景技術】
【０００２】
従来のスピン式洗浄装置や、スピン塗布装置で基板をバキュームチャックする機構を搭載した装置では、バキューム発生源を回転体上ではない部分に設置し、回転体へはロータリージョイントなどの自由継手を介して供給していた。
【先行技術文献】
【特許文献】
【０００３】
【特許文献１】特開２００２−２０３８２９号公報
【発明の概要】
【発明が解決しようとする課題】
【０００４】
しかしながら、従来技術では、既存の装置にバキュームチャックを設ける場合など、真空配管を追加することは大掛かりな改造が必要で、費用・改造時間の点で不利がある。また、自由継手の磨耗による真空漏れが、機構上不可避である。
【課題を解決するための手段】
【０００５】
本発明の実施形態によれば、架台と、前記架台に設置された回転体と、前記回転体を回転させるモータと、前記回転体に形成されたバキュームパッドと、前記バキュームパッドに接続され、前記回転体に設置されたエジェクタと、を備えるスピン処理装置において、前記エジェクタは漏斗状空気導入口を有し、前記回転体は、１分間に６００回転以上回転することを特徴とするスピン処理装置を提供することで上記課題を解決する。
【図面の簡単な説明】
【０００６】
【図１】本発明の実施形態に係るスピン洗浄装置での実施例を示した図である。
【図２】図１の漏斗状空気導入口の拡大図である。
【発明を実施するための形態】
【０００７】
以下、図１及び図２を参照して本発明の実施の形態について詳細に説明する。
【０００８】
スピン洗浄装置を例に上げて説明する。
【０００９】
フラットパネルディスプレイ素子を製造するプロセスにおいて、基板上のパーティクル除去のための洗浄は極めて重要で、ライン内に数多く設置されており、装置の床面積が小さくできるスピン式洗浄装置は広く普及している。
【００１０】
スピン式洗浄装置は、架台1の上に回転用モータ2に接続された回転体3を設け、その上に洗浄する基板4を搭載して、洗浄する間、所定の回転数で回転させる。回転体3の上には洗浄液を吐出させるためのノズル5と、そのノズル5を移動させるためのアーム機構6を設ける。ノズル5は洗浄液を輸送するためのチューブ7を介してポンプ8、洗浄液タンク9に接続され、必要なタイミングで洗浄液を回転体3上に設置された基板4に供給する。
【００１１】
回転体3の、基板4が搭載される部分にはバキュームパッド10が設けられている。バキュームパッド10は真空発生装置であるエジェクタ11に接続されている。エジェクタ11の圧縮空気供給口には、漏斗状空気導入口12が取り付けられており、その漏斗状空気導入口12は、回転体3の回転方向、回転円の接線に沿った向きに向けて、さらに回転体上で回転体の回転中心からもっとも離れた位置に設置する。なお、回転体は例えば１分間に６００回転以上回転する場合、効果を得やすい。バキュームパッド10が複数設置されている場合で、1台のエジェクタ11では充分な真空圧が得られない場合は、エジェクタ11も複数台設置する。また、バキュームパッドの代わりにバキュームチャック
板を使用することも可能である。
【００１２】
さらに、電磁バルブとその制御線を設けることが可能な場合は、エジェクタを真空圧貯蔵タンク(リザーバタンク)に電磁弁を介して接続し、その電磁弁を回転体が回転してエジェクタが真空を発生している
間のみ開いてタンクを真空引きして真空圧を貯蔵することで、得られた真空圧を基板のチャッキングのために、回転体が停止しているときにも適宜使用することができる。この場合、バキュームパッド10と
真空貯蔵タンクの間にも電磁バルブを設け、バキュームパッドを使用していない間のみ、パッドに真空圧を供給する機構とする。
【００１３】
以上の実施例による発明の効果について説明する。
【００１４】
既設スピン洗浄設備の基板保持機構をバキュームチャッキング式に改造する場合、本願実施の形態のようにエジェクタを使用し、回転体の回転により生じる空気圧をエジェクタに供給することにより、回転が開始すると自動的に基板がバキュームチャックで保持され、回転が終了すると保持も自動的に解除されるため、一切の外部制御が不要なため、容易に機構を変更できる。
【００１５】
また、仮に回転開始前に基板を固定する必要があり、リザーバタンクを使用する場合でも、通常電気配線と比較して太いバキュームラインを外部から困難な回転体へ敷設する必要が無いため、改良が
容易になる効果がある。
【符号の説明】
【００１６】
１・・・架台
２・・・スピン用モータ
３・・・回転体
４・・・基板
５・・・洗浄液吐出ノズル
６・・・ノズル保持アーム
７・・・洗浄液輸送用チューブ
８・・・ポンプ
９・・・洗浄液タンク
１０・・・バキュームパッド
１１・・・エジェクタ
１２・・・漏斗状空気導入口
【図１】
2012079848.tif 000003
【図２】
2012079848.tif 000004
(57)【要約】【課題】特定地域の知りたい・解決したい質問に対して、最新情報、且つ信頼性の高い情報を容易に取得できるシステムを提供する。【解決手段】図１、図２のＧＰＳによる位置情報を活用し、質問者が質問したい地域を選択し、質問先地域へ質問を送信する場合、回答者は、ＧＰＳの位置情報にて受信可能と成り、回答可能と成るため、最新の情報、且つ信頼性の高い地域回答を質問者は得る事ができる。【選択図】図１
2012079276.tif 000002
【特許請求の範囲】
【請求項１】
ＧＰＳ機能を搭載した機器の位置情報を活用し、質問者と回答者を結び付ける。
【請求項２】
質問者が質問先地域をＧＰＳ情報にて選択し質問を送信すると、質問先地域の会員のみが質問の内容を確認でき回答ができる。
【請求項３】
質問先地域の回答者は、ＧＰＳの位置情報により信頼性の高い最新の地域情報を、文章・写真・音声にて質問者へ送信できる。
【請求項４】
ＧＰＳによる位置情報と共に地域からの最新情報を配信し、全世界の受信者は、ＧＰＳによる地域情報配信として確認できる。
【発明の詳細な説明】
【技術分野】
【０００１】本発明は、世界各国の多種多様な地域情報を、ＧＰＳ（Ｇｌｏｂａｌ  Ｐｏｓｉｔｉｏｎｉｎｇ  Ｓｙｓｔｅｍ）を活用して正確に確認できる質疑応答のウェブサービスに関するものである。
【背景技術】
【０００２】ＧＰＳによる位置情報を活用した質問者と回答者を結び付けるウェブサービスが無かった。【０００３】ＳＮＳ（Ｓｏｃｉａｌ  Ｎｅｔｗｏｒｋｉｎｇ  Ｓｅｒｖｉｃｅ）は、コミュニティ型のウェブサービスで、会員の交流を主体としており、質問ウェブサービスでは地域からの最新、且つ正確な情報を質問者へ提供するウェブサービスが無かった。【０００４】知りたい地域情報への質問、指定された地域からの回答、及び地域からの情報発信を、位置情報で正確に伝える機能を持った質問サービスが無かった。
【先行技術文献】
【特許文献】
【０００５】
【特許文献１】  特開２００７−０８７４３３号公報
【発明の概要】
【発明が解決しようとする課題】
【０００６】解決しようとする問題点は、質問先地域の最新の情報と信頼性の課題を解決するためになされるものである。
【課題を解決するための手段】
【０００７】本発明は、ＧＰＳによる位置情報をシステムに組み込む事により、指定地域からの情報として確実に質問者へ提供できる。
【発明の効果】
【０００８】ＧＰＳによる位置情報を活用し、会員の質問者が知りたい質問内容を指定した地域へ確実に配信し、質問先地域の会員メンバーにより適切な回答を質問者へ届ける事が可能と成る。
会員は、質問を行う事ができ、位置情報から指定された地域の回答者にも成る。
質問者の質問先地域と回答者のＧＰＳ位置情報をサーバー内にて紐付け、質問者の指定地域会員以外は、リアルタイムの質問と回答の内容を見る事ができない。【０００９】質問者は、質問先地域に対して確実に質問を行う事ができ、質問先地域内の会員のみが質問内容を確認し回答できる事により、信頼性が高く、最新の情報を提供する事が可能と成る。【００１０】各地域の過去の質問と最も優秀な回答は、カテゴリ毎に保存しており、地域外の会員、及び会員以外でも自由に閲覧できる。
【図面の簡単な説明】
【００１１】
【図１】ＧＰＳを活用した質疑応答システムの構成図である。
【図２】質問者と対象地域、及び対象外地域に関する質疑応答の構成図である。
【発明を実施するための形態】
【００１２】以下、本発明の実施の形態について説明する。
（イ）．携帯電話、スマートホーン他のＧＰＳ機能を有する機器を活用する。
（ロ）．サーバーを介して、質問者の位置情報、回答者の位置情報を照合する。
【符号の説明】
【００１３】１  質問者
２  回答者
３  質問配信地域
４  質問指定地域
５  指定地域外
【図１】
2012079276.tif 000003
【図２】
2012079276.tif 000004
(57)【要約】      （修正有）【課題】イルミネーションの連続したＬＥＤライトは夜間等暗い時は華やかだが、昼間等明るい時は目立たない、それを改善するイルミネーションを提供する。【解決手段】連続したＬＥＤライト１を造花２に挿着させ、配線３部分に造葉４を取り付ける構成とした。【選択図】図２
2012079668.tif 000002
【特許請求の範囲】
【請求項１】
イルミネーションにおいて、配線（３）で連結された多数のＬＥＤライト（１）を任意形状で、任意素材の造花（２）の内側に孔を設けて前記ＬＥＤライト（１）を前記造花（２）に挿着させる事を特徴とした造花（２）にＬＥＤライト（１）を挿着したイルミネーション。
【請求項２】
造花（２）の下方からでたＬＥＤライト（１）の配線（３）に造葉（４）を取り付ける事を特徴とした請求項１に記載の造花（２）にＬＥＤライト（１）を挿着したイルミネーション。
【発明の詳細な説明】
【技術分野】
【０００１】本発明は、イルミネーションのＬＥＤライトを造花に挿着し、イルミネーション効果を発揮させるために好適なイルミネーションに関する。
【背景技術】
【０００２】従来の発効式造花には、花の内側に広角発効ダイオードを配置し、上記花によって上記広角発効ダイオードを覆い隠し、上記広角発効ダイオードから発せられた光を上記花の外側に透過させ、上記花の輪郭を浮き上がらせながら発光することを特徴とする発光式造花はある。
【先行技術文献】
【実用新案文献】
【０００３】
【実用新案文献１】
実用新案公開平５−５８１１
【発明の概要】
【発明が解決しようとする課題】
【０００４】以上に述べた従来の発光式造花は、花瓶と一体となった造花の装飾効果が高まる発光式造花を提供するものであった。【０００５】建物、樹木などに取り付けられたイルミネーションは夜間に装飾効果を発揮するが、昼間は装飾効果が発揮されていない。【０００６】本発明は、以上のイルミネーションの装飾効果を夜間も昼間も今までより発揮させることを課題としている。
【課題を解決するための手段】
【０００７】本発明は、以上の通りの事情を解決するために、第一に、イルミネーションの配線で連結した多数のＬＥＤライトを任意形状で、任意素材の造花の内側に孔を設けて、前記ＬＥＤライトを前記造花に挿着させる事を特徴とする。【０００８】第二に、造花の下方からでたＬＥＤライトの配線に任意形状で任意素材の造葉を取り付ける事を特徴とする。
【発明の効果】
【０００９】イルミネーションは建物、樹木、ガーデニング、店舗の内装、広告等多様な利用の仕方がある。
イルミネーションのＬＥＤライト部分を造花で装飾することによりイルミネーション効果が期待できる。
又、ＬＥＤライトの下部から出た配線はイルミネーションのＬＥＤライトを繋ぎ連結するものなので、長い状態の配線が有、その配線に任意形状で任意素材の造葉を取り付ける事により、蔦状になり今までに無い装飾効果が期待できる。
一つの例として、蔦状にして窓の外側に日よけ用に配線する、それにより、昼間は日よけにして、夜間はイルミネーションにする。
【図面の簡単な説明】
【００１０】
【図１】本発明の分解図
【図２】本発明の展開図
【発明を実施するための形態】
【００１１】  以下、本発明の実施の形態を図１、図２基づいて説明する。
【００１２】図１において、１はイルミネーションのＬＥＤライトで配線に多数取り付けられていて、点灯するもの、点滅するものがあり造花の内側に挿着しており、発光部が造花の外側に露出している。
【００１３】図１の２の造花は、ＬＥＤライトを挿着することを目的の一つになっており、内側にＬＥＤライトが挿着できる孔を開け、ＬＥＤライトを固着させる。
形状は花弁が舌状花、管状花などが考えられる、花弁がばらばらにならない状態にする。又、造花の素材は合成樹脂、布、等で光触媒加工されたものでも良い。
【００１４】図２はＬＥＤライトを造花に挿着した状態で配線により連結された状態である。
配線に人工の葉である造葉を取り付ける。
形状は造花に合った葉形が好ましい、造葉の素材は合成樹脂、布、で光触媒加工されたものでも良い。
造葉の数は配線の長さ、ＬＥＤライトの数で最量が良い。
【符号の説明】
【００１５】１  ＬＥＤライト
２  造花
３  配線
４  造葉
【図１】
2012079668.tif 000003
【図２】
2012079668.tif 000004
(57)【要約】【課題】  本発明は、袋の上部に小さく細長い、取り出し口を設け、その中間にジッパーを設け、シールの幅を広くした袋で、たとえば、味噌などを、別容器に移さずに使用できるように工夫した練り物等の小出し袋を提供する。【解決手段】  袋の上部に小さく細長い、取り出し口（１）を設け、その中間にジッパー（２）を設け、味噌などを使う分だけ絞り出すことができ、細長い取り出し口（１）の中間のジッパー（２）を設けたことで、袋の中に空気が入るのを最小限にでき、シール（３）の幅を広くしたことを特徴とする練り物等の小出し袋。【選択図】図１
2012017141.tif 000002
【特許請求の範囲】
【請求項１】
袋の上部に小さく細長い、取り出し口（１）を設け、その中間にジッパー（２）を設け、シール（３）の幅を広くしたことを特徴とする練り物等の小出し袋。
【発明の詳細な説明】
【技術分野】
【０００１】  本発明は、袋の上部に小さく細長い、取り出し口を設け、その中間にジッパーを設け、シールの幅を広くした袋で、たとえば、味噌などを、別容器に移さずに使用できるように工夫した練り物等の小出し袋に関するものである。
【背景技術】
【０００２】  従来の袋は、たとえば、味噌などを、使用するときに、その都度、使う分だけ小出しができなく、袋を大きく開き別容器に移すことが一般的であった。
【発明の概要】
【発明が解決しようとする課題】
【０００３】  そのために、次のような問題点がある。
たとえば、味噌を別の容器に移す際に、空気にさらし酸化の促進につながり、味を落とすことになる。
本発明は以上の問題点を解決するものである。
【課題を解決するための手段】
【０００４】  袋の上部に小さく細長い、取り出し口（１）を設け、その中間にジッパー（２）を設け、味噌などを使う分だけ絞り出すことができ、細長い取り出し口（１）の中間のジッパー（２）を設けたことで、袋の中に空気が入るのを最小限にでき、シール（３）の幅を広くしたことを特徴とする練り物等の小出し袋。
【発明の効果】
【０００５】  袋の上部に小さく細長い、取り出し口を設け、その中間にジッパーを付け、たとえば、味噌を使う分だけ絞り出すことができる。
細長い取り出し口の中間のジッパーがあることで、袋の中に空気が入るのを最小限にできる。
【図面の簡単な説明】
【０００６】
【図１】  本発明の平面図である。
【図２】  本発明の使用状態を示した平面図である。
【発明を実施するための形態】
【０００７】  以下、本発明の実施の形態について説明する。
袋の上部に小さく細長い、取り出し口（１）を設ける。
その中間にジッパー（２）を設ける。
たとえば、味噌などを使う分だけ絞り出すことができる。
細長い取り出し口（１）の中間のジッパー（２）を設けたことで、袋の中に空気が入るのを最小限にできる。
シール（３）の幅を広くする。
本発明は以上のような構造である。
これを使用する場合を説明する。
取り出し口（１）を小さく細長くし、中間にジッパー（２）を付けることで、使う分たけの小出しができ、空気が袋の中に入るのを最小限にできる。
上部のシール（３）を大きくすることで、取り出し口の補強になる。
【符号の説明】
【０００８】  １  取り出し口
２  ジッパー
３  シール
【図１】
2012017141.tif 000003
【図２】
2012017141.tif 000004
(57)【要約】      （修正有）【課題】既設建物の屋上に太陽光発電パネル或いは携帯電話基地局を設置する場合の基礎をＦＲＰにて製作し，軽量化と作業性の向上。高さ調整の簡便化，雨漏りの防止，高強度及び高剛性の付与。【解決手段】上部被せ蓋１１と下部ボックス１２の組合せ構造とし、上部被せ蓋１１は二重殻構造とし，必要な強度及び剛性は殻の厚みと基材構成及び格子の桝目構造により，軽量性を損なうことなく設計が出来る。下部ボックス１２には，高さ調整用ボルト及びナットを配置し，止水性の確保も含めた，嵩上げモルタルの充填孔を設けると共に，上下組合せ部にパッキンを配して，基礎内への雨水流入を防止する。鋼製架台取付ボルト１３もＦＲＰ積層にて裏打ちし止水を図っている。【選択図】図１
2012017639.tif 000002
【特許請求の範囲】
【請求項１】
上部被せ蓋と下部ボックスからなる，ＦＲＰ基礎。
【請求項２】
上部被せ蓋の周囲に締結用凹部を設け，下部ボックスの上端縁に水平枠座を設けることにより，上下をボルト締結にて強固に一体化された，ＦＲＰ基礎。
【請求項３】
下部ボックスの裏面に高さ及びレベル調整用のナットを固定し，ボックス内から調整作業を行う，ＦＲＰ基礎。
【請求項４】
下部ボックスの底部にφ１００〜φ３００の開口部を設け，当該孔より嵩上げモルタルを埋め込む，ＦＲＰ基礎。
【請求項５】
上部被せ蓋に鋼製架台取付用ボルトを一体化した，ＦＲＰ基礎。
【発明の詳細な説明】
【発明の詳細な説明】
【技術分野】
【０００１】本発明は既設建物の屋上に，太陽光発電パネル或いは携帯電話の基地局を設置する場合に当該設置用鋼製架台を固定する為の基礎である。
【背景技術】
【０００２】建物の屋上に，太陽光発電パネル或いは携帯電話基地局を設置する場合，鋼製架台を屋上に固定する必要がある。
一般的にはコンクリート基礎を打設し，アンカーボルトを埋め込んで，鋼製架台を固定する工法が用いられている。
形状を標準化したＦＲＰ基礎は，軽量且つ高強度であり，有効な部材となりうる。
【発明の開示】
【発明が解決しようとする課題】
【０００３】ＦＲＰの軽量且つ高強度という利点を生かして，標準タイプのＦＲＰ基礎を提供する。
水勾配のある屋上に設置するには，高さ及び水平レベル調整機能が必要である。
屋上に固定する為の，締結機構及び，雨漏り防止処置が必要である。
当該の鋼製架台との，締結機構が必要である。
【課題を解決するための手段】
【０００４】ＦＲＰ基礎の構成として，上部被せ蓋と，下部ボックスの分割組立構造を採用する。
下部ボックスには，高さ及び水平レベル調整機能として，ボックス底部に貫通孔を開け，同芯にて底部裏側にナットを組み付け，ナットを介してボルトの締付け長さで高さを調整する。
屋上躯体との固定は，屋上にアンカーボルトを打設し，ボルトピッチに合わせた孔を下部ボックスに開け，内面側よりナットにて固定する。
下部ボックス底部中央にφ１００〜φ３００の孔を設け，屋上躯体と下部ボックス間の調整した間隙に当該孔より嵩上げモルタルを充填出来るようにする。
モルタルはアンカーボルト及び高さ調整ボルトを巻き込んで充填出来るので，止水効果も期待出来る。
上部被せ蓋には，鋼製架台との締結用ボルトが固着されており，また下部ボックスとの締結用孔があり，高さ調整後蓋とボックスを一体化する。
以上の作業完了後，ＦＲＰ基礎に鋼製架台を固定し，太陽電池パネル，基地局を設置する。
【発明の効果】
【０００５】コンクリート基礎の現場打設に対し
軽量化が可能となる。同一サイズのコンクリート基礎が１９８ｋｇであるのに対し，ＦＲＰ基礎は４０ｋｇ以下となり，約五分の一と軽量化が図れる。
ユニット化出来る。標準形状のＦＲＰ基礎ユニットを現場に搬入することにより，作業工数が低減出来る。
高さ及び水平レベル調整が容易。ボルトの締付け長さにより，バランスよく調整出来る。
漏水防止が容易である。調整モルタル充填により，止水効果が高く，更に防水シートも容易に貼付可能である。
【発明を実施するための最良の形態】
【０００６】上部被せ蓋は二層殻構造とし，垂直方向の負荷に対し，十分な剛性を確保する。
上部被せ蓋の周囲に組立用ボルト孔を設け，当該孔部は段落し形状として蓋上面にボルト頭の突起が出ないようにする。
下部ボックスの上端縁に水平枠座を設け，蓋とのボルト締結と止水パッキンの貼付面積を確保する。
【実施例】
【０００７】１  上部被せ蓋の外殻成形
縦横幅６００ｍｍ，深さ１００ｍｍの凹型を製作し，厚み１０ｍｍの外殻をハンドレイアップ成形する。構成はゲルコート，４５０＃ガラスマット，５７０＃ロービングクロス，４５０＃ガラスマットの所定枚数である。
２  上部被せ蓋のコア部補強
対辺距離８０ｍｍ，壁の厚み５ｍｍの格子構造体を補強材として接着配置し格子構造体の表面は４５０＃ガラスマットにより開口部を盲とした。格子の高さは４０ｍｍである。
３  上部被せ蓋の内殻成形とボルト固着
厚み１０ｍｍの内殻を成形。基材構成は外殻と同様とし，ボルトを埋め込み固着した。
４  下部ボックスの成形
下部ボックスの外殻を成形する。構成はゲルコート，４５０＃ガラスマット，５７０＃ロービングクロス，４５０＃ガラスマットの所定枚数である。厚みは５ｍｍとした。
５  下部ボックスの内殻成形と部品取付及び加工
外殻の内面に３ｍｍのコアマットを積層後，下部ボックスの内殻を外殻と同じ基材構成ににて成形した。
ボックス裏面に高さ調整用ナットを４箇所取付，同心にて貫通孔を開けた。
ボックス中央部に嵩上げモルタル充填孔としてφ１５０孔加工を施した。
６  圧縮試験の実施
破壊荷重は１１６ｋＮ（１１８００ｋｇ）と予定の１００ｋＮを満足した。
圧縮変位は０．１４ｍｍ／ｋＮと満足出来るものであった。
【図面の簡単な説明】
【０００８】
【図１】本考案に懸るＦＲＰ基礎形状を示す。
【図２】本考案に懸るＦＲＰ基礎の断面形状を示す。
【０００９】図１の符号は
１１…上部被せ蓋，１２…下部ボックス，１３…鋼製架台固定ボルト
１４…上下締結ボルト
図２の符号は
２１…補強格子，２２…段差，２３…パッキン
２４…高さ調整ボルト，２５…高さ調整ナット，２６…モルタル充填孔
【グラフの簡単な説明】
【００１０】本考案に懸かるＦＲＰ基礎を１０００ｋＮ万能試験機にて圧縮試験を実施した。
垂直荷重と変位をグラフに示す。
【図１】
2012017639.tif 000003
【図２】
2012017639.tif 000004
(57)【要約】【課題】屋外で人の顔の周りに飛び交う小さな虫を除去する帽子に付ける防虫板を提供する。【解決手段】基軸の上部にヘアピン状のクリップを設け、基軸の下側の長手方向の中途及び先端に挾持部を設け、回動板の上部に回動板の横長方向に支軸を設け、支軸の両端を挾持部に枢着させ、回動板は挾持部の間に吊り下げられ、回動板は下端を半回動自由としたことを特徴とする帽子に付ける防虫板。【選択図】図１
2012017545.tif 000002
【特許請求の範囲】
【請求項１】
基軸（１）の上部にヘアピン状のクリップ（２）を設け、基軸（１）の下側の長手方向の中途及び先端に挾持部（４）（４）を設け、回動板（３）の上部に回動板（３）の横長方向に支軸（５）を設け、支軸（５）の両端を挾持部（４）（４）に枢着させたことを特徴とする帽子に付ける防虫板。
【発明の詳細な説明】
【技術分野】
【０００１】  本発明は、屋外で人の顔の付近に飛び交う小さな虫の除去に関するものである。
【背景技術】
【０００２】  従来、ネットで顔を覆い防虫するための防虫ネットがあった（特許文献１参照）。また、人体の頭や胴体、腕、手、脚、足などを覆って着用できるように形成された害虫防御具に、殺虫剤がコーティングされた発明が知られている（特許文献２参照）。
【先行技術文献】
【０００３】
【特許文献１】特開２００２−３１７３２３号公報
【特許文献２】特許公表２００５−５３８２６３号公報
【発明の概要】
【発明が解決しようとする課題】
【０００４】  それには次のような問題点があった。
（イ）一般の屋外のレジャーで使用するには装置が大掛かりとなって通常の使用に適して    いない。
（ロ）ネットの下部の開口部を首との隙間がないように閉じて紐を結んだりする等取付け    面倒である。
（ハ）使用後はかさばって収納するのが面倒である。
【課題を解決するための手段】
【０００５】  長尺状の基軸の上部にヘアピン状のクリップを設ける。
基軸の下側の長手方向の中途及び先端に挾持部を設ける。
扁平長方形からなる回動板の上部に回動板の横長方向に貫通する支軸を設ける。
支軸の両端は挾持部に枢着させる。
回動板は挾持部の間に吊り下げられて設けられ、回動板は下端を半回動自由とする。
以上を特徴とする帽子に付ける防虫板である。
【発明の効果】
【０００６】  簡単に帽子のひさしに取り付けられ、虫が顔の付近に飛んで来たら顔を横方向に２，３回振るだけで虫を追い払えるので、特に両手が塞がっている釣りなどには手で虫を振り払う必要がないので最適である。顔の前に取り付けるだけの小さな装置なのでかさばらない。
【図面の簡単な説明】
【０００７】
【図１】本発明の斜視図
【図２】本発明の支軸部分の縦断面図
【図２】本発明の実施例を示す斜視図
【発明を実施するための形態】
【０００８】  （イ）長尺状の基軸（１）の上部にヘアピン状のクリップ（２）を設け、基軸（１）の        下側の長手方向の中途及び先端に挾持部（４）（４）を設ける。
（ロ）扁平長方形からなる回動板（３）の上部に回動板（３）を横長方向に貫通する支        軸（５）を設けるか又は、回動板（３）の上辺に支軸（５）を一体に設け、支軸        （５）の両端は挾持部（４）（４）に枢着させる。
（ハ）回動板（３）は、挾持部（４）（４）の間に吊り下げられて設けられ、回動板（        ３）は下端を半回動自由とする
（ニ）回動板の形状は、縦長の扁平状であれば長方形とは限らない。
（ホ）回動板（３）を複数設けてもよく、又、回動板（３）の代わりに紐を使用してよ        い。
本発明は以上の構成よりなるので、本発明を使用するときは、帽子のひさしの前部をクリップ（２）で挟むことにより、本発明は帽子に装着される。
屋外で顔の付近に虫が飛び交っているときは、顔を横方向に振ることにより、回動板（３）は風にあおられて顔の正面で横方向に半回動を繰り返す。これにより、顔の付近の虫は追い払われる。
また、回動板の表裏両面に粘着シートを貼り付けて、虫を捕獲することもできる。
【符号の説明】
【０００９】１  基軸
２  クリップ
３  回動板
４  挾持部
５  支軸
【図１】
2012017545.tif 000003
【図２】
2012017545.tif 000004
【図３】
2012017545.tif 000005
【手続補正書】
【提出日】平成22年8月20日(2010.8.20)
【手続補正２】
【補正対象書類名】明細書
【補正対象項目名】０００７
【補正方法】変更
【補正の内容】
【０００７】
【図１】本発明の斜視図
【図２】本発明の支軸部分の縦断面図
【図３】本発明の実施例を示す斜視図
(57)【要約】【課題】宇宙で生体が生存競争するためのマーシャルアート（ｍａｒｔｉａｌ  ａｒｔ）のメカニズムを有していて、勝負服一式の型で、宇宙へ生体が遠征するためのヒューマノイドロボットが今までなかった。【解決手段】宇宙へ生体が遠征するためのヒューマノイドロボットに宇宙で生体が生存競争するためのマーシャルアートのメカニズムをそなわせたり、ヒューマノイドロボットを勝負服一式の型にしてヒューマノイドロボット本体内にヒューマノイドロボット本体内の生体が呼吸したりヒューマノイドロボット本体内の温度を調節するためのあたたかいもしくはつめたい酸素を自動で入れるためのメカニズムと酸素の入れ物を有する密室製の生命維持装置をそなわせたりすることでヒューマノイドロボットを用いて宇宙へ生体が遠征することが出来るようになる。【選択図】図１
2012017962.tif 000002
【特許請求の範囲】
【請求項１】
宇宙で生体が生存競争するための複合もしくはミックスされたマーシャルマシンズユニット（ｍａｒｔｉａｌ  ｍａｃｈｉｎｅｓ  ｕｎｉｔ）の構造とファイターズユニット（ｆｉｇｈｔｅｒｓ  ｕｎｉｔ）製のマーシャルアーツ（ｍａｒｔｉａｌ  ａｒｔｓ）のキャラクターで構成されたマーシャルアート（ｍａｒｔｉａｌ  ａｒｔ）のメカニズムを有していて、複合もしくはミックスされたマーシャルシップスユニット（ｍａｒｔｉａｌ  ｓｈｉｐｓ  ｕｎｉｔ）製で、勝負服一式の型で、複合もしくはミックスされたアーティフィシャルウェポンズ（ａｒｔｉｆｉｃｉａｌ  ｗｅａｐｏｎｓ）とアーティフィシャルアーマーズ（ａｒｔｉｆｉｃｉａｌ  ａｒｍｏｒｓ）のセットで出来ている、宇宙へ生体が遠征するためのヒューマノイドロボット。
【発明の詳細な説明】
【技術分野】
【０００１】  本発明は、宇宙で生体が生存競争するためのマーシャルアート（ｍａｒｔｉａｌ  ａｒｔ）のメカニズムを有していて、勝負服一式の型で、宇宙へ生体が遠征するためのヒューマノイドロボットに関するものである。
【背景技術】
【０００２】  今まで、宇宙で生体が生存競争するためのマーシャルアートのメカニズムを有していて、勝負服一式の型で、宇宙へ生体が遠征するためのヒューマノイドロボットがなかった。
【発明の概要】
【発明が解決しようとする課題】
【０００３】  ヒューマノイドロボットには、宇宙で生体が生存競争するためのマーシャルアートのメカニズムや勝負服一式の型などの、宇宙へ生体が遠征するための機能がなかった。
【課題を解決するための手段】
【０００４】  ヒューマノイドロボットを勝負服一式の型にして宇宙で生体が生存競争するためのマーシャルアートのメカニズムを（その）ヒューマノイドロボットにそなわせることで宇宙へ生体が遠征するための機能をヒューマノイドロボットが持つことが出来るようになる。【０００５】  本発明のヒューマノイドロボットに宇宙で生体が生存競争するためのマーシャルアートとしてのマーシャルアーツ（ｍａｒｔｉａｌ  ａｒｔｓ）や複合もしくはミックスされたマーシャルアーツのメカニズムをそなわせる。【０００６】  本発明のヒューマノイドロボットに複合もしくはミックスされたマーシャルマシンズユニット（ｍａｒｔｉａｌ  ｍａｃｈｉｎｅｓ  ｕｎｉｔ）の構造とファイターズユニット（ｆｉｇｈｔｅｒｓ  ｕｎｉｔ）製のマーシャルアーツのキャラクターで構成された、宇宙で生体が生存競争するためのマーシャルアートのメカニズムをそなわせる。【０００７】  本発明のヒューマノイドロボットを複合もしくはミックスされたアーティフィシャルウェポンズ（ａｒｔｉｆｉｃｉａｌ  ｗｅａｐｏｎｓ）とアーティフィシャルアーマーズ（ａｒｔｉｆｉｃｉａｌ  ａｒｍｏｒｓ）のセットで構成する。【０００８】  本発明のためのヒューマノイドロボットを複合もしくはミックスされたマーシャルシップスユニット（ｍａｒｔｉａｌ  ｓｈｉｐｓ  ｕｎｉｔ）製にする。【０００９】  本発明のヒューマノイドロボットを有人宇宙飛行の仕様の勝負服一式の型にしてヒューマノイドロボット本体内にヒューマノイドロボット本体内の生体が呼吸するためまた本体内の生体をあたためたりひやしたりするためまた本体内の温度を調節するためあたたかいもしくはつめたい酸素を自動もしくは手動で入れることが出来るメカニズムと酸素の入れ物を有する密室製の生命維持装置を本発明のヒューマノイドロボットにそなわせる。
【発明の効果】
【００１０】  本発明のヒューマノイドロボットを用いて宇宙へ生体が遠征することが出来るようになる。
【発明の実施するための最良の形態】
【００１１】  本発明のヒューマノイドロボットはサイズを拡大もしくは縮小して用いることができる。
【００１２】  以下、添付図面に従って一実施例を説明する。１は本発明のヒューマノイドロボットで生体が５の密室製の生命維持装置をコントロールするための装置を操作することで３の酸素の通り道があたためられたりひやされたりして、４の密室製の生命維持装置の中にある２の酸素の入れ物から酸素が酸素の通り道を通って温度調節されて、６のふき出し口からヒューマノイドロボット本体内へと出てくる。
【図面の簡単な説明】
【００１３】
【図１】本発明の一実施例を示す背面図である。
【図２】本発明の一実施例を示す横面図である。
【符号の説明】
【００１４】１  ヒューマノイドロボット本体
２  酸素の入れ物
３  ヒューマノイドロボット本体内と酸素の入れ物をつなぐ酸素の通り道
４  酸素の入れ物とヒューマノイドロボット本体内へと続く酸素の通り道を収納した密室製の生命維持装置
５  密室製の生命維持装置をコントロールするための装置
６  ヒューマノイドロボット本体内に酸素を入れるためのふき出し口
【図１】
2012017962.tif 000003
【図２】
2012017962.tif 000004
(57)【要約】【課題】宇宙で生体が生存競争するためのマーシャルアート（ｍａｒｔｉａｌ  ａｒｔ）のメカニズムを有していて、背中にメカニカルもしくは人工的な両翼と両腕を有する人型のロボットが今までなかった。【解決手段】人型のロボットに宇宙で生体が生存競争するためのマーシャルアートのメカニズムと、人型のロボットの背中にメカニカルもしくは人工的な両翼と両腕をそなわせる。【選択図】図１
2012017961.tif 000002
【特許請求の範囲】
【請求項１】
宇宙で生体が生存競争するためのマーシャルアート（ｍａｒｔｉａｌ  ａｒｔ）のメカニズムを有していて、背中にメカニカルもしくは人工的な、両翼と両腕を有する人型のロボット。
【発明の詳細な説明】
【技術分野】
【０００１】  本発明は、宇宙で生体が生存競争するためのマーシャルアート（ｍａｒｔｉａｌ  ａｒｔ）のメカニズムを有していて、背中にメカニカルもしくは人工的な、両翼と両腕を有する人型のロボットに関するものである。
【背景技術】
【０００２】  今まで、宇宙で生体が生存競争するためのマーシャルアートのメカニズムを有していて、背中にメカニカルもしくは人工的な、両翼と両腕を有する人型のロボットがなかった。
【発明の概要】
【発明が解決しようとする課題】
【０００３】  今までの人型のロボットには、背中にメカニカルもしくは人工的な、両翼と両腕がなくて、宇宙で生体が生存競争するためのマーシャルアートのメカニズムもなかった。
【課題を解決するための手段】
【０００４】  人型のロボットの背中にメカニカルもしくは人工的な、両翼と両腕をそなわせて、その人型のロボットに宇宙で生体が生存競争するためのマーシャルアートのメカニズムをそなわせる。【０００５】  本発明のロボットに本発明のロボット専用の、宇宙で生体が生存競争するためのマーシャルアートとしてのマーシャルアーツ（ｍａｒｔｉａｌ  ａｒｔｓ）や複合もしくはミックスされたマーシャルアーツのメカニズムをそなわせる。【０００６】  本発明のロボットに複合もしくはミックスされたマーシャルマシンズユニット（ｍａｒｔｉａｌ  ｍａｃｈｉｎｅｓ  ｕｎｉｔ）の構造とファイターズユニット（ｆｉｇｈｔｅｒｓ  ｕｎｉｔ）製のマーシャルアーツのキャラクターで構成された、宇宙で生体が生存競争するためのマーシャルアートのメカニズムをそなわせる。【０００７】  本発明のロボットに密室製のライフサポートシステム（ｌｉｆｅ−ｓｕｐｐｏｒｔ  ｓｙｓｔｅｍ）をそなわせて、その本発明のロボットを装備一式の型にする。【０００８】  本発明のロボットを宇宙で生体が生存競争するためのマーシャルアートのメカニズムとして複合もしくはミックスされたマーシャルシップユニット（ｍａｒｔｉａｌ  ｓｈｉｐ  ｕｎｉｔ）製にする。【０００９】  本発明のロボットを宇宙で生体が生存競争するためのマーシャルアートのメカニズムとして複合もしくはミックスされた、アーティフィシャルウェポンズ（ａｒｔｉｆｉｃｉａｌ  ｗｅａｐｏｎｓ）とアーティフィシャルアーマーズ（ａｒｔｉｆｉｃｉａｌ  ａｒｍｏｒｓ）のセットで構成する。
【発明の効果】
【００１０】  人間のロボットに宇宙で生体が生存競争するためのマーシャルアートのメカニズムをそなわせることが出来るようになって、その人型のロボットの背中にもメカニカルもしくは人工的な、両翼と両腕をそなわせることが出来るようになる。
【発明の実施するための最良の形態】
【００１１】  本発明の人型のロボットは、ジャンボスタイルもしくはモンスタースタイルのクリーチャー（ｃｒｅａｔｕｒｅ）像やメカニカルなクリーチャー像にして用いることが出来る。
【００１２】  本発明のロボットはサイズを拡大もしくは縮小して用いることが出来る。
【００１３】  本発明のロボットにそなわせることが出来る密室製のライフサポートシステムと本発明のロボットの装備一式の型は、宇宙で生体が生存競争するためのマーシャルアートのメカニズムとして本発明のロボットにそなわせることが出来る。
【００１４】  以下、添付図面に従って一実施例を説明する。１は宇宙で生体が生存競争するためのマーシャルアートのメカニズムと背中にメカニカルもしくは人工的な、両翼と両腕を有する人型のロボットで、宇宙で生体が１を用いて生存競争を行う。
【図面の簡単な説明】
【００１５】
【図１】本発明の一実施例を示す正面図である。
【図２】本発明の一実施例を示す横面図である。
【図３】本発明の一実施例を示す背面図である。
【符号の簡単な説明】
【００１６】１  本発明の人型のロボット
２  本発明の人型のロボットの背中にあるメカニカルもしくは人工的な両翼
３  本発明の人型のロボットの背中にあるメカニカルもしくは人工的な両腕
【図１】
2012017961.tif 000003
【図２】
2012017961.tif 000004
【図３】
2012017961.tif 000005
(57)【要約】【課題】風あるいは流水等の圧力を効率良く利用し回転エネルギーを得る変換装置。【解決手段】図１は本発明の翼４を３枚配置した場合の斜視図であり、翼４は風又は流体の圧力により中心軸８を中心とする回転力を受ける。翼端に配置されたローラー３はガイド板１上の溝２に接しておりそれぞれの位置における翼端の位置が規制されることにより翼４自体も風又は流体の方向に対し最適な角度を維持することが出来る。【選択図】図１
2012017727.tif 000002
【特許請求の範囲】
【請求項１】
翼自身が回転可能な構造を持ち翼両端と同位置にカイド溝をなぞるためのローラーを備えた翼を持つ。
【請求項２】
翼の角度を規制するための溝を持つ。
【発明の詳細な説明】
【技術分野】
【０００１】この発明は風あるいは流水等の圧力を翼に受け回転エネルギーを得る変換技術に関する。
【背景技術】
【０００２】従来の抗力型エネルギー変換装置としてパドル型風車、サボニュース型風車等がありそれぞれの回転位置における抗力係数の差を利用して回転するが圧力を受ける翼に対して、他の翼の抵抗が加わりエルギーの利用率が低かった。
【発明の概要】
【発明が解決しようとする課題】
【０００３】本発明では中心軸の周囲を回転する翼の風受け面積と抗力係数が最大となる位置の反対側では風受け面積と抗力係数を最小とするため中心軸の周囲を回転する翼が中心軸周囲を３６０度回転する間に中心軸回転方向と同一方向に翼の回転角度を１８０度回転させる方法に関してである。
【課題を解決するための手段】
【０００４】翼が中心軸周囲を回転する間に翼の角度が中心軸回転角度の１／２度同一方向に回転する時の翼両端の軌跡と同一の溝と翼両端位置に溝内をなぞって移動出来るローラーを設置し、翼による中心軸周りの回転力により翼の角度を規制する。
【図面の簡単な説明】
【図１】本発明の実施例を示す３枚翼時の斜視図である。
【図２】本発明の実施例を示す４枚翼時のガイド板上溝部と翼の関係図である。
【符号の説明】１  ガイド板
２  ガイド板上の溝部
３  ローラー
４  翼
５  ローラー保持板
６  翼回転支柱
７  中心軸に固定された翼保持板
８  中心軸
【図１】
2012017727.tif 000003
【図２】
2012017727.tif 000004